(57)【要約】      （修正有）【課題】複数の記録媒体をもつ記録装置において、記録媒体を選択する煩雑な操作を省略できるようにする。【解決手段】ネットワーク接続回路４２がネットワークに接続していない状態にあるとき、ＣＰＵ１８は、記録先として、着脱可能な記録媒体４８を選択する。ネットワーク接続回路４２がネットワークに接続している状態にあるとき、ＣＰＵ１８は、記録先として、内蔵の記録媒体４６を選択する。特定のネットワーク接続先に接続する場合に、内蔵の記録媒体４６を選択してもよい。【選択図】図１
2010011089.tif 000002
【特許請求の範囲】
【請求項１】
ネットワークに接続する接続手段と、
複数の記録媒体に対してコンテンツを記録する記録手段と、
前記ネットワーク接続手段のネットワーク接続状況に応じた、前記複数の記録媒体のうちの予め決められた記録媒体を記録先として自動選択する選択手段と、
前記記録手段を制御して、前記選択手段により選択された記録媒体にコンテンツを記録させる制御手段
とを有することを特徴とする記録装置。
【請求項２】
複数の記録媒体が、内蔵の記録媒体と、着脱可能な記録媒体とを含み、
前記選択手段は、前記ネットワーク接続手段がネットワークに接続する状態では、前記内蔵の記録媒体を選択し、前記ネットワークに接続していない状態では、前記着脱可能な記録媒体を選択する
ことを特徴とする請求項１に記載の記録装置。
【請求項３】
音声を入力する手段と画像を入力する撮像手段を備える撮像装置であることを特徴とする請求項１又は２に記載の記録装置。
【発明の詳細な説明】
【技術分野】
【０００１】
本発明は、複数の記録媒体をもつ記録装置に関する。
【背景技術】
【０００２】
近年のデジタルビデオカメラには、光ディスク、光磁気ディスク，ハードディスク，（ＨＤＤ）、半導体メモリ等、ランダムアクセス可能な記録媒体を使用するものが多い（特許文献１参照）。ランダムアクセス可能であることにより、記録映像の呼び出し・頭出しが容易になり、先に記録した内容を上書きしてしまう心配がなくなる。
【０００３】
特に、ＨＤＤは３０ギガバイト乃至６０ギガバイト以上の容量を有するものが安価に入手可能である。例えば、標準ＮＴＳＣ信号の映像信号をＭＰＥＧ２の最高画質設定とされる約９メガビット／秒に圧縮符号化してこれらのＨＤＤに記録した場合、７．５時間から１５時間もの記録が可能である。
【０００４】
さらに、最近では、ＨＤＤに加えてメモリカードスロットも装備し、ＨＤＤとメモリカードのうち、動画や静止画の記録先をユーザが任意に選択できるビデオカメラも発売されている。
【特許文献１】特開２００８−２７４８３号公報
【発明の開示】
【発明が解決しようとする課題】
【０００５】
前記の様に、複数の記録媒体に対して画像を記録可能なビデオカメラでは、操作者が意図して記録媒体を選択することができる反面、記録先を選択する操作が煩雑になる場面もある。また、操作者が意図しない記録媒体に記録してしまうという問題点もある。
【０００６】
本発明は、このような不都合を解消した記録装置を提示することを目的とする。
【課題を解決するための手段】
【０００７】
上記課題を解決するため、本発明に係る記録装置は、ネットワークに接続する接続手段と、複数の記録媒体に対してコンテンツを記録する記録手段と、前記ネットワーク接続手段のネットワーク接続状況に応じた、前記複数の記録媒体のうちの予め決められた記録媒体を記録先として自動選択する選択手段と、前記記録手段を制御して、前記選択手段により選択された記録媒体にコンテンツを記録させる制御手段とを有することを特徴とする。
【発明の効果】
【０００８】
本発明によれば、複数の記録媒体に対して画像等のコンテンツデータを記録可能な記録装置において、記録媒体を選択する煩雑な操作を省くことができる。
【発明を実施するための最良の形態】
【０００９】
以下、図面を参照して、本発明の実施例を詳細に説明する。
【実施例１】
【００１０】
図１は、本発明の一実施例である撮像装置の概略構成ブロック図を示す。撮像装置１０は、例えば、デジタルスチルカメラ又はデジタルビデオカメラである。撮影レンズ１２は、被写体の光学像を撮像素子１４の撮像面に結像する。絞り２２は撮像素子１４に入射する光量を制御する。Ａ／Ｄ変換器１６は、撮像素子１４から出力されるアナログ画像信号をデジタル信号に変換し、ＣＰＵ１８に供給する。モータ２０は、ＣＰＵ１８からの合焦度制御信号及びズーム制御信号に従い、それぞれを撮影レンズ１２のフォーカシングレンズ及びズーミングレンズを光軸方向に駆動する。モータ２０はまた、ＣＰＵ１８からの絞り制御信号に従い、絞り２２を駆動して絞り２２の開度を変更する。
【００１１】
マイク２４は、周囲の音声を取り込み、アナログ音声信号を出力する。マイクアンプ２６は、マイク２４の出力音声信号を増幅し、Ａ／Ｄ変換器２８は、マイクアンプ２６から出力されるアナログ音声信号をデジタル信号に変換してＣＰＵ１８に供給する。
【００１２】
ユーザは操作キー３０を使って種々の指示を撮像装置１０に、すなわち、ＣＰＵ１８に入力できる。表示駆動回路３２はＣＰＵ１８からの画像信号に従い表示器３４を駆動する。これにより、所望の画像及びメニュー等が表示器３４に表示される。表示器３４は、例えば、液晶表示パネルからなり、電子ビューファインダとしても使用されうる。
【００１３】
スピーカ駆動回路３６は、ＣＰＵ１８からの音声信号に従いスピーカ３８を駆動する。これにより、所望の音声が音として周囲に出力される。
【００１４】
撮像装置１０は外部入出力端子４０及びネットワーク接続回路４２を具備する。ＣＰＵ１８は外部入出力端子４０を介して、コンピュータ、プリンタ又は外部記憶装置等の外部機器に接続し、画像データその他のデータをやり取りできる。ＣＰＵ１８はまた、ネットワーク接続回路４２を介して、携帯電話回線、無線ＬＡＮ回線又は固定電話網等の通信回線に接続可能である。
【００１５】
センサ４４は、撮像装置１０に加えられる加速度を検出する加速度センサと、撮影レンズの防振アクチュエータの位置センサからなる。センサ４４は、加速度センサで検知される加速度と、防振アクチュエータが機能しているときの位置センサ出力をＣＰＵ１８に供給する。
【００１６】
撮像装置１０はまた、記録媒体４６を本体に内蔵すると共に、接続ソケット５０に対して記録媒体４８を装着可能である。記録媒体４８は撮像装置１０に着脱自在である。記録媒体４６は、フラッシュメモリ又はハードディスクかなる。記録媒体４８は、カード型フラッシュメモリカード、ＵＳＢメモリ、又は磁気（あるいは光磁気）記録媒体などからなる。複数種類の接続ソケット５０を設けることで、複数種類の記録媒体４８に対応可能になる。
【００１７】
ＣＰＵ１８は、メモリ５２を使って撮像装置１０の全体を制御する。ＣＰＵ１８はまた、画像データを圧縮伸長する圧縮伸長機能５４と、圧縮画像データ、その他のデータを記録媒体４６，４８に記録再生する記録再生機能５６を具備する。圧縮伸長機能５４及び記録再生機能５６は、ＣＰＵ１８のファームウエア又はソフトウエアで実現されても、ＣＰＵ１８内のハードウエアで実現されても、どちらでもよい。
【００１８】
電源５８は、充電式電池であり、各部に動作に必要な電力を供給する。
【００１９】
本実施例の記録動作（撮影動作）を説明する。撮像素子１４は、ＣＰＵ１８からのタイミング信号のタイミングで、撮影レンズ１２による光学像を画像信号に変換し、出力する。Ａ／Ｄ変換器１６は撮像素子１４からのアナログ画像信号をデジタル信号に変換し、ＣＰＵ１８に供給する。Ａ／Ｄ変換器１６から出力されるデジタル画像データは、例えば、輝度／色差信号形式（輝度Ｙ、色差Ｃｒ，Ｃｂ）、又はＲＧＢ形式からなる。ＣＰＵ１８は、周知のフォーカス制御方式及び露出制御方式に従い、それぞれ、モータ２０を介して撮影レンズ１２のフォーカシングレンズ及び絞り２２を制御する。
【００２０】
ＣＰＵ１８はまた、センサ４４の加速度センサ出力に従い防振アクチュエータを駆動し、また、防振アクチュエータの位置センサ出力に従い、防振アクチュエータの動作を帰還制御して、手ぶれを補正する。
【００２１】
マイクアンプ２６はマイク２４からの音声信号を増幅する。Ａ／Ｄ変換器２８は、マイクアンプ２６から出力されるアナログ音声信号をデジタル音声信号に変換し、ＣＰＵ１８に供給する。
【００２２】
ＣＰＵ１８は、Ａ／Ｄ変換器１６からの画像データに色分離、白バランス調整、ガンマ補正及びアパーチャ補正などの基本処理と、操作キー３０で設定された画像サイズ、画質調整及び位置調整などの付加処理を行う。圧縮伸長機能５４が、このように処理された画像データを設定された圧縮方法と圧縮パラメータに従い圧縮符号化する。ＣＰＵ１８はまた、Ａ／Ｄ変換器２８からの音声データに、操作キー３０で設定された音質調整などの付加処理を行う。
【００２３】
圧縮伸長機能５４が、設定された圧縮方法と圧縮パラメータによって音声データを圧縮符号化する。圧縮画像データと圧縮音声データは、制御データとともに、所定形式のストリームデータに成形される。例えば、ＩＳＯ／ＩＥＣ１３８１８−１で規定されるプログラムストリーム又はトランスポートストリームが生成される。圧縮伸長機能５４はこのように生成したストリームデータを記録データとして記録再生機能５６に供給する。ストリームデータの制御データは、例えば、ストリームの形成のためのヘッダ及び管理データを含む。制御データはまた、撮像装置１０自体の識別情報、記録設定情報、撮影履歴及び撮影環境情報などの撮影付加情報、使用記録媒体などの媒体情報、並びに、記録時間、符号化時間、再生時間、再生表示時間等の時間情報を含む。
【００２４】
記録再生機能５６は、ストリームを構成する各ファイルを、ＵＤＦ、ＦＡＴ又はＥＸＴ２等のファイルシステム管理のもとに、ファイルとして記録媒体４６または記録媒体４８に書き込む。
【００２５】
ネットワーク接続回路４２は、外部ネットワークと論理的に接続された場合、ＣＰＵ１８に接続状態と接続状況を通知する。詳細は後述するが、ネットワーク接続回路４２が外部ネットワークと論理的に接続する状況では、ＣＰＵ１８は、撮影画像の記録先として予め決められた内蔵の記録媒体４６を自動選択する。これにより、記録媒体４６に記録した画像（及び音声）を即座に、ネットワークを介して外部機器に送信できる。
【００２６】
他方、ネットワーク接続回路４２が外部ネットワークと論理的に接続しない状況では、ＣＰＵ１８は、撮影画像の記録先として着脱可能な記録媒体４８を自動選択する。撮影画像（及び音声）の記録後に、記録媒体４８を取り外して、別の記録装置又は再生装置に接続することで、当該撮影画像（及び音声）を別の装置に転送できる。記録媒体のファイルシステムとは、ファイルの管理を行うための管理情報とファイルデータからなる構造体系である。このファイルシステムを共通化又は公開することで、異なる記録再生機器間でデータを受け渡すことが可能になり、記録又は再生が可能になる。
【００２７】
ＣＰＵ１８は、記録媒体４６，４８に記録されたデータを必要に応じて読み出し、外部入出力端子４０から外部機器に送信することができる。さらに、確認用として、ＣＰＵ１８は、記録媒体４６，４８に記録される画像の再生画像データを表示駆動回路３２に供給する。これにより、記録媒体４６，４８に記録される画像が表示器３４に表示される。
【００２８】
図２は、撮像装置１０をネットワークに接続した状態の構成図を示す。ネットワーク接続回路４２がネットワーク６０に接続する。ネットワーク６０には、例えば，コンテンツを蓄積するサーバ６２が接続している。撮像装置１０は、ネットワーク接続回路４２及びネットワーク６０を介して、記録媒体４６又は４８に記憶されるデータをサーバ６２に送信でき、また、サーバ６２のデータを取り込み、記録媒体４６又は４８に格納できる。サーバ６２以外に、ネットワーク６０に接続するその他の機器、例えば、コンピュータ、各種蓄積メディア又はマルチメディア機器との間でデータをやり取りできる。
【００２９】
ネットワーク６０自体としては、イーサーネット（登録商標）等の有線ＬＡＮ、無線ＬＡＮ、固定電話回線網、携帯電話回線網接続等などが使用可能である。
【００３０】
図３は、ネットワークの接続エリアの説明図を示す。破線で示すエリア内には、その中心に撮像装置１０を中心としたローカルエリアがあり、その周辺にエリア１、エリア２、エリア３、エリア４のグループがある。外側には、エリア５が存在する。
【００３１】
記録媒体４６，４８の選択条件として、ネットワークの接続／非接続に加え、ネットワーク接続状況を加えても良い。例えば、ローカルエリア内でのネットワーク接続時では、内蔵の記録媒体４６に自動選択する。または、予め指定した所定エリア内でのネットワーク接続時では、内蔵の記録媒体４６に自動選択する。所定エリアは、ドメイン、地域又はセキュリティレベルなど、カテゴリ別に設定することが可能である。この設定を、撮像装置１０に固定的に入力しておくか、又は設定画面で操作者が入力するようにすればよい。
【００３２】
所定エリアでのカテゴリの条件に従い、記録媒体４６又は記録媒体４８を自動選択することによって、操作者が記録媒体４６，４８の選択に関わる操作を省略できる。勿論、操作者の好みに応じた記録媒体の選択も可能となる。
【００３３】
図４は、表示器３４の表示例を示す。左欄にネットワーク接続の有無と状態が記され、右欄に、記録先として選択されている記録媒体が記される。「内蔵メモリ」は、記録媒体４６を示す。図４に示す表示例は、撮像装置１０がローカルエリアに接続した状態にあること、そして、記録先として内蔵の記録媒体４６が選択されていることを操作者に通知する。
【００３４】
図５は、本実施例における記録先選択動作のフローチャートを示す。まず、撮像装置１０が外部ネットワークと接続されているか否かを判定する（Ｓ１）。接続状態と判定された場合（Ｓ１）、エリア（場所）を判定する（Ｓ２）。設定エリアであると判定された（Ｓ２）、記録先として内蔵の記録媒体４６を選択する（Ｓ３）。選択した記録媒体４６の残量を調べる（Ｓ４）。残量が設定値以上であれば（Ｓ４）、そのまま終了し、設定値より少なければ（Ｓ４）、着脱可能な記録媒体４８を記録先として指定する（Ｓ５）。
【００３５】
ネットワークに非接続の場合（Ｓ１）、又は、ネットワークに接続していても、それが設定エリアでない場合（Ｓ２）には、着脱可能な記録媒体４８を記録先として指定する（Ｓ５）。
【００３６】
以上説明したように、ネットワーク非接続時には、着脱可能である記録媒体４８にコンテンツを記録することで、ネットワーク非接続時環境でも記録コンテンツを容易に他の装置に移動できる。ネットワーク接続時では内蔵の記録媒体４６にコンテンツを記録することで、記録直後にも、ネットワーク経由でネットワーク上の再生機、蓄積装置にコンテンツを転送できる。
【００３７】
また、ネットワーク接続しているエリアに対するカテゴリ条件で、記録先となる記録媒体４６，４８を選択することによって、操作者が記録媒体の選択に関わる操作を省略できる。また、操作者の好みに応じた記録媒体の選択も可能となる。
【００３８】
状況に応じた最適な記録媒体を自動選択する機能を提供できる。特に、民生用ビデオカメラ等では、従来になかった、高付加価値のある機能を提供できる効果がある。
【００３９】
なお、本実施例では、記録装置１０がネットワークに接続しているか否かに基づいて記録媒体を選択していたが、従来と同様、ユーザが任意に記録媒体を選択可能できるようにしてもよい。この場合、操作キーを操作することにより、前記の様なネットワークによる自動選択モードと、ユーザによる選択モードとを切り替えられる構成とすればよい。
【図面の簡単な説明】
【００４０】
【図１】本発明の一実施例の概略構成ブロック図である。
【図２】本実施例におけるネットワーク接続の説明図である。
【図３】本実施例の接続エリアの説明図である。
【図４】本実施例における表示例である。
【図５】本実施例の記録先選択動作のフローチャートである。
【符号の説明】
【００４１】
１０・・・撮像装置
１２・・・撮影レンズ
１４・・・撮像素子
１６・・・Ａ／Ｄ変換器
１８・・・ＣＰＵ
２０・・・モータ
２２・・・絞り
２４・・・マイク
２６・・・マイクアンプ
２８・・・Ａ／Ｄ変換器
３０・・・操作キー
３２・・・表示駆動回路
３４・・・表示器
３６・・・スピーカ駆動回路
３８・・・スピーカ
４０・・・外部入出力端子
４２・・・ネットワーク接続回路
４４・・・センサ
４６・・・内蔵の記録媒体
４８・・・着脱可能な記録媒体
５０・・・接続ソケット
５２・・・メモリ
５４・・・圧縮伸長機能
５６・・・記録再生機能
５８・・・電源
【図１】
2010011089.tif 000003
【図２】
2010011089.tif 000004
【図３】
2010011089.tif 000005
【図４】
2010011089.tif 000006
【図５】
2010011089.tif 000007